(57)【要約】特許請求された主題は、ＭＩＰに基づくプロトコルであるが、それらに関連する幾つかの欠点とは関係のないＭＭＰを利用することによって、ホスト・デバイスを設定することに関する。特に、無線端末は、ＭＭＰを実行し、ＭＭＰに準拠しているメッセージを無線リンクを介して送信するように設定することができる。基地局は、ＤＨＣＰサーバとして動作するように設定することができる。基地局は、ＤＨＣＰによってホスト・デバイスに設定情報を提供することができる。
2009533972.tif 000002
【特許請求の範囲】
【請求項１】
ホスト・デバイスを設定する方法であって、
無線端末を登録することに関する要求を、ＭＭＰによって受信することと、
ＭＭＰによって前記無線端末にＩＰアドレスを提供することと、
前記無線端末に関連付けられたホストを、ＤＨＣＰによって設定することと
を備える方法。
【請求項２】
ホーム・アドレスを求める要求を、ＭＩＰによって、ホーム・エージェントへ提供することと、
ＭＩＰによって前記ホーム・アドレスを受信することと
を更に備える請求項１に記載の方法。
【請求項３】
前記ＭＩＰによって前記ホーム・アドレスを受信することは、１またはＭＩＰｖ４およびＭＩＰｖ６によって前記ホーム・アドレスを受信することを備える請求項２に記載の方法。
【請求項４】
請求項１に記載の方法を実行するように構成された基地局。
【請求項５】
前記受信された要求は、この要求が初期要求であるかを識別するフィールドを含む請求項１に記載の方法。
【請求項６】
前記無線端末と基地局との間の物理的なリンクを生成することを更に備える請求項１に記載の方法。
【請求項７】
無線端末を登録することに関する要求を、ＭＭＰによって受信し、ＭＭＰによってＩＰアドレスを前記無線端末に提供し、前記無線端末に関連付けられたホストを、ＤＨＣＰによって設定するための命令群を含むメモリと、
前記命令群を実行するプロセッサと
を備える通信装置。
【請求項８】
基地局である請求項７に記載の通信装置。
【請求項９】
前記メモリは更に、ホーム・アドレスを求める要求を、ＭＩＰによって、ホーム・エージェントへ提供し、ＭＩＰによって前記ホーム・アドレスを受信するための命令群を備える請求項７に記載の通信装置。
【請求項１０】
通信装置であって、
無線端末からの登録要求を、ＭＭＰによって受信する手段と、
前記無線端末に関連するホスト・デバイスに関連付けられたＩＰ設定情報を、前記無線端末に提供する手段と、
ＤＨＣＰによって前記ホスト・デバイスを設定する手段と
を備える通信装置。
【請求項１１】
前記ホスト・デバイスからＤＨＣＰディスカバー・メッセージを受信する手段と、
前記ＤＨＣＰディスカバー・メッセージに応答する手段と
を更に備える請求項１０に記載の通信装置。
【請求項１２】
ホーム・アドレスを求める要求を、ＭＩＰによって、ホーム・エージェントへ提供する手段と、
ＭＩＰによって前記ホーム・アドレスを受信する手段と
を更に備える請求項１１に記載の通信装置。
【請求項１３】
機械読取可能媒体であって、
無線端末からの登録要求を、ＭＭＰによって受信し、
前記無線端末に関連するホスト・デバイスに関連付けられたＩＰ設定情報を、前記無線端末に提供し、
ＤＨＣＰによって前記ホスト・デバイスを設定する
ための格納された機械実行可能な命令群を有する機械読取可能媒体。
【請求項１４】
請求項１３に記載の機械読取可能媒体を備える基地局。
【請求項１５】
前記ホスト・デバイスからＤＨＣＰディスカバー・メッセージを受信し、前記ＤＨＣＰディスカバー・メッセージに応答するための格納された機械実行可能な命令群を更に有する請求項１３に記載の機械読取可能媒体。
【請求項１６】
プロセッサであって、
無線端末を登録することに関する要求を、ＭＭＰによって受信し、前記無線端末へＭＭＰによってＩＰアドレスを提供し、前記無線端末に関連付けられたホストを、ＤＨＣＰによって設定するための命令群を実行するプロセッサ。
【請求項１７】
ホーム・アドレスを求める要求を、ＭＩＰによって、ホーム・エージェントへ提供し、ＭＩＰによって前記ホーム・アドレスを受信するための命令群を更に実行するように構成された請求項１６に記載のプロセッサ。
【請求項１８】
ホスト・デバイスを設定することを容易にする方法であって、
ＭＭＰに準拠しており、ホスト・デバイスのために生成される登録要求を作成することと、
前記登録要求を、無線リンクを経由して基地局へ送信することと、
ＭＭＰに準拠しており、前記ホスト・デバイスを設定することに関連する登録要求を受信することと
を備える方法。
【請求項１９】
この登録が初期登録であることを、前記登録要求内で示すことを更に備える請求項１８に記載の方法。
【請求項２０】
前記ホスト・デバイスからＤＨＣＰディスカバー・メッセージを受信することと、
ＤＨＣＰオファー・メッセージを用いて、前記ＤＨＣＰディスカバー・メッセージに応答することと、
前記ホスト・デバイスからＤＨＣＰ要求メッセージを受信することと、
ＤＨＣＰアクノレッジメント・メッセージを用いて、前記ＤＨＣＰ要求メッセージに応答することと
を更に備える請求項１８に記載の方法。
【請求項２１】
無線通信装置であって、
ホスト・デバイスのためのＭＭＰ登録要求メッセージを生成し、前記ＭＭＰ登録要求メッセージを、無線リンクを経由して基地局へ提供し、ＩＰアドレスが、前記ホスト・デバイスに関して利用可能であることを示すＭＭＰ登録応答メッセージを、前記基地局から受信するための命令群を含むメモリと、
前記命令群を実行するプロセッサと
を備える無線通信装置。
【請求項２２】
前記メモリは更に、前記基地局に関してリンクが利用可能であることを前記ホスト・デバイスに示すための命令群を含む請求項２１に記載の無線通信装置。
【請求項２３】
前記メモリは、前記ＭＭＰ登録要求内にシーケンス番号を提供し、前記ＭＭＰ登録要求に関連付けられた登録が、初期登録であるかを示し、前記ＭＭＰ登録要求内にタイムスタンプを提供するための命令群を更に含む請求項２１に記載の無線通信装置。
【請求項２４】
前記メモリは更に、前記無線通信装置を、前記ホスト・デバイスに関するＤＨＣＰサーバとして動作するように設定するための命令群を含む請求項２１に記載の無線通信装置。
【請求項２５】
無線通信装置であって、
ＭＭＰに準拠しており、ホスト・デバイスのために生成される登録要求を作成する手段と、
前記登録要求を、無線リンクを経由して基地局へ送信する手段と、
ＭＭＰに準拠しており、前記ホスト・デバイスを設定することに関連する登録要求を受信する手段と
を備える無線通信装置。
【請求項２６】
ホスト・デバイスのためのＭＭＰ登録要求メッセージを生成し、前記ＭＭＰ登録要求メッセージを、無線リンクを経由して基地局へ提供し、ＩＰアドレスが、前記ホスト・デバイスに関して利用可能であることを示すＭＭＰ登録応答メッセージを、前記基地局から受信するための、格納された機械実行可能な命令群を有する機械読取可能媒体。
【請求項２７】
前記基地局に関して無線リンクが利用可能であることを前記ホスト・デバイスに示すための、格納された機械実行可能な命令群を更に有する請求項２６に記載の機械読取可能媒体。
【請求項２８】
前記ホスト・デバイスからＤＨＣＰディスカバー・メッセージを受信し、ＤＨＣＰオファー・メッセージを用いて、前記ＤＨＣＰディスカバー・メッセージに応答し、前記ホスト・デバイスからＤＨＣＰ要求メッセージを受信し、ＤＨＣＰアクノレッジメント・メッセージを用いて、前記ＤＨＣＰ要求メッセージに応答するための、格納された機械実行可能な命令群を有する請求項２６に記載の機械読取可能媒体。
【請求項２９】
プロセッサであって、
前記プロセッサをホストするデバイスに関する、ＭＭＰに準拠している登録要求を生成し、前記登録要求を基地局へ送信し、前記基地局から登録応答メッセージを受信する命令群を実行し、
前記登録応答メッセージは、ＩＰアドレスが、前記プロセッサをホストする前記デバイスに割り当てられたことを前記プロセッサに示すプロセッサ。
【請求項３０】
前記登録応答メッセージを受信すると、前記基地局に関して無線リンクが利用可能であることを、前記プロセッサをホストする前記デバイスに示す命令群を実行するように更に構成された請求項２９に記載のプロセッサ。
【発明の詳細な説明】
【技術分野】
【０００１】
以下の記載は、一般に、通信システムに関し、特に、無線通信システムにおいてホストを設定することに関する。
【背景技術】
【０００２】
無線ネットワーキング・システムは、他のものと世界的に通信する普及手段になった。例えばセルラ電話、携帯情報端末等のような無線通信デバイスは、顧客ニーズを満足し、可搬性と利便性とを改善するためにより小さく、より強力になった。顧客は、これらデバイスに依存するようになり、信頼できるサービス、拡張された有効範囲領域、更なるサービス（例えば、ウェブ・ブラウジング機能）、およびそのようなデバイスにサイズ縮小化およびコスト低減を引き続き要求する。
【０００３】
典型的な無線通信ネットワーク（例えば、使用する周波数分割技術、時間分割技術、および符号分割技術）は、有効範囲領域内でデータを送受信することができるモバイル（例えば無線）デバイスのみならず、加入者にも有効範囲領域を提供する１または複数の基地局を含む。一般的な基地局は、ブロードキャスト・サービス、マルチキャスト・サービス、および／またはユニキャスト・サービスのために複数のデバイスへ複数のデータ・ストリームを同時に送信することができる。データ・ストリームとは、ユーザ・デバイスに興味のある独立した受信となりうるデータのストリームである。基地局の有効範囲領域内のユーザ・デバイスは、合成ストリームによって搬送される１つ、１より多い、または全てのデータ・ストリームを受信することに興味を持っているかもしれない。同様に、ユーザ・デバイスは、基地局あるいは他のユーザ・デバイスへデータを送信することができる。
【０００４】
無線ネットワーク内で無線デバイスを通信できるようにするために、そのようなデバイスまたはその間に関連付けられたホストが設定されねばならない。特に、パケット交換ネットワークでは、ホスト・デバイス（例えば、モバイル電話、携帯情報端末、ラップトップ・コンピュータ等）は、デバイスがネットワーク・サービスを利用可能にする前に設定されねばならない。この設定は、例えば適切なＩＰアドレスを受信することを含む。従来、ホスト・デバイスは、例えばホスト・デバイス、アクセス・ノード（例えば、基地局）、およびホーム・エージェント間で、モバイルＩＰプロトコル（ＭＩＰ）に従ってなされる通信を通じて設定される。しかしながら、ホスト・デバイスと基地局との間のオーバ・ザ・エア（ＯＴＡ）リンクが制限されるかもしれず、ＭＩＰは、そのようなリンクを介した相当なデータ量の送信を必要としうる。従って、ＯＴＡリンクに関連付けられたリソースのうちのかなりの量は、ホストが設定されている場合に利用され、もって、アクセス・ノードの有効範囲領域内のその他のホスト・デバイスに関する利用可能なリソースが低減される。
【発明の開示】
【０００５】
（関連出願への相互参照）  
本願は、"METHODS AND APPARATUS FOR EFFICIENT NETWORK ACCESS"と題され、２００６年４月１３日に出願された米国仮出願６０／７９２，１４４号の利益を主張する。この出願の全体は、参照によって本明細書に組み込まれる。
【発明の概要】
【０００６】
以下は、特許請求された主題のうちの幾つかの局面の基本的な理解を提供するための簡単な要約を示す。この要約は、広範囲な概要ではなく、主要な／重大な要素を特定することも、特許請求された主題の範囲を線引きことも意図されていない。その唯一の目的は、幾つかの概念を、後に示されるより詳細な記述に対する前兆として、簡単な形式で表すことである。
【０００７】
特許請求された主題は、ＭＩＰに基づくプロトコルであるが、それらに関連する幾つかの欠点とは関係のないＭＭＰを利用することによって、ホスト・デバイスを設定することに関する。特に、無線端末は、ＭＭＰを実行し、ＭＭＰに準拠するメッセージを、無線リンクを介して送信するように設定することができる。基地局は、ＤＨＣＰサーバとして動作するように設定することができる。基地局は、ＤＨＣＰによってホスト・デバイスに設定情報を提供することができる。
【０００８】
局面に従って、ホスト・デバイスを設定する方法は、以下のように記述される。この方法は、無線端末の登録に関する要求をＭＭＰによって受信することと、ＭＭＰによって無線端末へＩＰアドレスを提供することと、ＤＨＣＰによって無線端末に関連付けられたホストを設定することとを備える。無線通信装置も開示される。この装置は、無線端末の登録に関する要求をＭＭＰによって受信し、ＭＭＰによって無線端末へＩＰアドレスを提供し、ＤＨＣＰによって無線端末に関連付けられたホストを設定するための命令群を保持するメモリを含む。無線通信装置は、これら命令群を実行するプロセッサを更に含むことができる。
【０００９】
別の局面に従って、以下を備える通信装置が記述される。すなわち、この装置は、無線端末からの登録要求をＭＭＰによって受信する手段と、無線端末に関連するホスト・デバイスに関連付けられたＩＰ設定情報を無線端末へ提供する手段と、ＤＨＣＰによってホスト・デバイスを設定する手段とを備える。更に、特許請求された主題は、無線端末からの登録要求をＭＭＰによって受信し、無線端末に関するホスト・デバイスに関連付けられたＩＰ設定情報を無線端末へ提供し、ＤＨＣＰによってホスト・デバイスを設定するための、格納された機械実行可能命令群を有する機械読取可能媒体を考慮する。
【００１０】
また別の局面に関し、無線端末を登録することに関する要求をＭＭＰによって受信し、ＭＭＰによって無線端末にＩＰアドレスを提供し、ＤＨＣＰによって無線端末に関連付けられたホストを設定するための命令群を実行するプロセッサが提供されうる。
【００１１】
更に、ホスト・デバイスを設定することを容易にする方法が以下に記載される。この方法は、ＭＭＰに準拠しており、ホスト・デバイスのために生成される登録要求を生成することと、この登録要求を、無線リンクを経由して基地局へ送信することとを備える。この方法は更に、ＭＭＰに準拠しており、ホスト・デバイスを設定することに関連する登録応答を受信することを含む。
【００１２】
更に、無線通信装置が記述される。この無線通信装置は、ホスト・デバイスのためのＭＭＰ登録要求メッセージを生成し、ＭＭＰ登録要求メッセージを、無線リンクを介して基地局へ提供し、ＩＰアドレスがホスト・デバイスに関して利用可能であることを示すＭＭＰ登録応答メッセージを基地局から受信するための命令を含むメモリを備える。この無線通信装置は更に、前述した命令を実行するプロセッサを含むことができる。
【００１３】
以下に示す無線通信装置は、ホスト・デバイスのために生成され、ＭＭＰに準拠している登録要求を生成する手段を備える。この装置は更に、無線リンクを経由して基地局へ登録要求を送信する手段と、ＭＭＰに準拠しており、ホスト・デバイスを設定することに関連する登録応答を受信する手段とを備える。本明細書では、機械読取可能媒体も開示される。そのような媒体は、ホスト・デバイスのためのＭＭＰ登録要求メッセージを生成し、無線リンクを介して基地局へＭＭＰ登録要求メッセージを提供し、ホスト・デバイスに関してＩＰアドレスが利用可能であることを示すＭＭＰ登録応答メッセージを基地局から受信するための命令群を備える。
【００１４】
また別の局面に従って、プロセッサにホストするデバイスに関連する、ＭＭＰに準拠している登録要求を生成し、この登録要求を基地局へ送信し、プロセッサにホストするデバイスにＩＰアドレスが割り当てられたことをプロセッサに示す登録応答メッセージを基地局から受信するための命令群を実行するように構成されたプロセッサが開示される。
【００１５】
前述した目的および関連する目的を達成するために、本明細書では、以下の記述および添付図面に関連して、ある例示的な局面が記述される。しかしながら、これらの局面は、特許請求された主題の原理が適用され、特許請求された主題が、そのような全ての局面および等化物を含むと意図された様々な方式のうちの幾つかしか示していない。その他の利点および斬新な特徴が、図面と連携された場合に、以下の詳細記述から明らかになる。
【詳細な説明】
【００１６】
特許請求された主題は、同一の参照番号が全体を通じて同一の要素を参照するように使用される図面を参照して記述される。次の記載では、説明の目的のために、特許請求された主題の完全な理解を提供するために、多くの具体的な詳細が記述される。しかしながら、そのような主題は、これら具体的な詳細なしで実現されうることが明らかである。他の事例では、周知の構成およびデバイスが、特許請求の主題の記述を容易にするために、ブロック図形式で示される。
【００１７】
更に、本明細書では、様々な局面が、端末に関連して記述される。端末は、システム、ユーザ・デバイス、安全なデジタル・カード（ＳＤカード）、加入者ユニット、加入者局、移動局、モバイル・デバイス、遠隔局、遠隔端末、アクセス端末、ユーザ端末、ユーザ・エージェント、あるいはユーザ機器とも称されうる。ユーザ・デバイスは、セルラ電話、コードレス電話、セッション加入プロトコル（ＳＩＰ）電話、ワイヤレス・ローカル・ループ（ＷＬＬ）局、ＰＤＡ、無線接続機能を有する携帯型デバイス、端末内のモジュール、あるいは無線モデムに接続されたその他の処理デバイスでありうる。
【００１８】
更に、特許請求された主題の局面は、特許請求された主題の様々な局面を実現するコンピュータまたは計算要素を制御するソフトウェア、ファームウェア、ハードウェア、またはこれらの組み合わせを生成するために標準的なプログラミング技術および／またはエンジニアリング技術を用いる方法、装置、および製造物品として実現されうる。本明細書で用いられる用語「製造物品」は、任意のコンピュータ読取可能デバイス、キャリア、または媒体からアクセス可能なコンピュータ・プログラムを含むことが意図されている。例えば、コンピュータ読取可能媒体は、限定される訳ではないが、磁気記憶装置（例えば、ハード・ディスク、フロッピー（登録商標）・ディスク、磁気ストライプ等））、光ディスク（例えば、コンパクト・ディスク（ＣＤ）、ＤＶＤ等）、スマート・カード、およびフラッシュ・メモリ・デバイス（例えば、カード、スティック、キー・ドライブ等）を含むことができる。更に、例えば、ボイス・メールの送受信、または、セルラ・ネットワークのようなネットワークへのアクセスに使用されるようなコンピュータ読取可能な電子データを搬送するために、搬送波を用いることができることが認識されるべきである。もちろん、当業者であれば、本明細書で記述されたものの範囲または精神から逸脱することなく、この構成に対して多くの修正がなされうることを認識するだろう。
【００１９】
図１に示すように、移動管理プロトコル（Mobility Management Protocol：ＭＭＰ）を利用することによるホスト・デバイスの設定が例示される。ＭＭＰは例えば、モバイルＩＰ（ホスト・デバイス、基地局デバイス、およびその他のネットワーク・インフラストラクチャ・デバイスの間で設定データを送信するために一般に利用されるプロトコル）に少なくとも部分的に基づく「スケールダウンされた」プロトコルでありうる。データ構成の幾つかの例が提供され、本明細書では、そのようであることは要求されないが、ＭＭＰに関連して利用されることが記述される。むしろ、そのようなデータ構成は、１または複数の例を例示するために専ら示されており、ＭＩＰに少なくとも部分的に基づくその他のデータ構成も、本発明者によって考慮され、特許請求の範囲に含まれることが意図されることが認識されるべきである。
【００２０】
システム１００は、無線端末１０２を含んでいる。無線端末１０２は例えば、モバイル・ハンドセット内の統合チップ、安全なデジタル（ＳＤ）カード、例えば、ＰＣＭＣＩＡスロットに挿入されうるカードのように、コンピュータ（例えば、ラップトップ、デスクトップ等）に物理的に接続されたデバイス、または、無線通信において支援可能なその他任意の適切なデバイスでありうる。無線端末１０２は、基地局１０４との無線リンクを確立するタスクを負わされる。これによって、無線端末１０２と基地局１０４との間、および／または、ホスト・デバイス１０６と基地局１０４との間でのデータ送信が可能となる。ホスト・デバイス１０６は、例えば、携帯情報端末、モバイル電話、コンピュータ、あるいはその他の適切なホスト・デバイスのように、無線端末１０２をホストするデバイスでありうる。ホスト１０６は、例えば、ホスト１０６が、ＩＰによってアプリケーションを実行することを可能にするＩＰスタックを含みうる。
【００２１】
基地局１０４は、移動管理に関して適用することが可能なホーム・エージェント１０８に通信可能に接続される。言い換えれば、ホーム・エージェント１０８によって、ホスト１０６および端末１０２は、データを送信および受信する能力を失うことなく、無線ネットワーク内の地理的位置を変更することが可能となる。無線端末１０２および基地局１０４は、その間の物理レイヤ接続を確立するためのメッセージングを行うことができる。また、加入者がどのサービスにアクセスを許可されているかを見分けるため、認証および許可も行われる。認可および認証に従って、接続応答メッセージが、基地局１０４から無線端末１０２へと提供される。そのようなメッセージは、ネットワーク上の基地局１０４を識別するために使用可能なデータを含む。
【００２２】
そして、無線端末１０２は例えばＭＭＰに準拠するメッセージを与えることができる。そのようなメッセージは、ＩＰアドレスの初期登録が必要であることを示す。上述したように、ＭＭＰを利用することによって、一般的には制約のあるリソースに関連付けられるＯＴＡリンクを介して送信されるデータ量を低減することができる。初期登録メッセージを受信すると、基地局１０４は、初期ＩＰアドレス、およびホーム・エージェント１０８からのその他の適切な設定情報を要求することができる。そのような要求は、例えば（モバイルＩＰｖ４および／またはモバイルＩＰｖ６のような）ＭＩＰに準拠することができる。ＭＩＰは、例えばＭＩＰｖ４およびＭＩＰｖ６のような様々なバージョンに関連付けられることができ、本明細書で記述された局面は、そのような任意のバージョンと関連して適用することができることが理解される。そして、ホーム・エージェント１０８は、ホーム・アドレスを含む応答を、基地局１０４へ提供することができる。ホーム・アドレスは、ホスト・デバイス１０６に割り当てられるＩＰアドレスでありうる。
【００２３】
無線端末１０２は、その後、ホスト・デバイス１０６へ、無線端末インタフェース（ＷＴＩ）によってリンクが準備されていることを通知することができる。しかし、ホスト・デバイス１０６は、ＩＰアドレスがホーム・エージェント１０８によって割り当てられたことに気付かないかもしれない。ホスト・デバイス１０６は、ダイナミック・ホスト・コンフィグレーション・プロトコル（ＤＨＣＰ）を実行し、ＤＨＣＰディスカバー・メッセージを生成し、それをリンクを介して中継するようにトリガされうる。基地局１０４は、ＤＨＣＰサーバとして動作するように設定されうる。そして、そのような要求を、（再びＤＨＣＰによって）ホスト・デバイス１０６へ応答することができる。ホスト・デバイス１０６は、その後、ＩＰアドレスを求める要求を、基地局１０４に送ることができる。基地局１０４は、要求されたＩＰアドレスとその他の適切な設定情報を、ホスト・デバイス１０６に提供することができる。
【００２４】
別の実施形態では、ＭＭＰでメッセージを送信／受信するように構成された無線端末の代わりに、ホスト・デバイス１０６は、そのようなプロトコルに準拠しているメッセージを送信し、受信し、かつ解釈するように構成されうる。そのような例では、ホスト・デバイス１０６は、無線端末１０２を経由して、ＭＭＰで登録要求を提供するだろう。そして、ホスト・デバイス１０６は、ホーム・アドレスと、もし望まれるのであれば、その他の設定情報とを、ＭＭＰによって受信するだろう。また別の例では、無線端末１０２は、（基地局１０４ではない）ＤＨＣＰサーバとして動作するように設定されうる。従って、例えば、ホスト・デバイス１０６がＤＨＣＰディスカバー・メッセージを生成すると、それは、ＤＨＣＰサーバとして動作しホスト・デバイス１０６を設定する無線端末１０２によって受信されうる。更に詳しくは、上述したように、無線端末１０２は、ＭＭＰを実行するように設定され、更に、ＭＭＰメッセージによって基地局１０４からＩＰアドレス（あるいは、恐らくはその他の設定情報）を受信することができる。そして、無線端末１０２は、リンクが準備ができていることをホスト・デバイス１０６に示し、ホスト・デバイス１０６はＤＨＣＰディスカバー・メッセージを生成することができる。無線端末１０２は、ＤＨＣＰサーバとして動作し、そのように動作していることをホスト・デバイス１０６に通知することができる。ホスト・デバイス１０６は、その後、無線端末１０２にＩＰアドレスおよびその他適切な設定情報を要求することができる。また、無線端末は、ホスト・デバイス１０６にそのような情報を提供することができる。
【００２５】
図２乃至図７にまとめて示すように、ＭＭＰに準拠するデータ構成の例が説明される。しかしながら、そのようなデータ構成は、単に、一般にＭＩＰに関連付けられた大量のデータなく、プロトコルがＭＩＰに基づきうる特定の方式の例を示すために提供され、ＭＩＰに関連付けられたシンタクス・データ構成および／または部分的なデータ構成を利用するその他のデータ構成も適用されうることが理解される。本願の特許請求の範囲は、そのような全てのバリエーションを包含するように意図される。更に、メッセージ構成またはデータ構成の一部が示され、様々なサイズを持つものとして説明される。そのようなサイズは、文脈、システム状態等に依存して変わりうることが理解される。一例では、基地局（およびその他のネットワーク・デバイス）は、ＭＭＰおよびＭＩＰに準拠しているメッセージを送信および／または受信するように構成されうる。例えば、基地局は、ＭＭＰメッセージのコンテンツに少なくとも部分的に基づいてＭＩＰメッセージを生成することができ、ＭＩＰメッセージのコンテンツに少なくとも部分的に基づいてＭＭＰメッセージを生成することができる。ＭＭＰは、好ましくは、ＯＴＡリンク上で動作することができる。なぜなら、そのようなリンクは一般に、ネットワーク内の他のリンク／トンネルと比較した場合、顕著な量のリソース制約に関連付けられているからである。ＭＩＰは、例えば基地局とホーム・エージェントとの間のように、ネットワーク・インフラストラクチャ・デバイス間で動作することができる。
【００２６】
特に図２に示すように、無線端末の接続のダウンリンク・ネットワーク・ポイントとしてリンクを登録することに関連付けられて適用されうるメッセージ２００が例示される。これは、Ｌ３登録要求メッセージとしても称されうる。例えば、そのようなメッセージは、無線端末１０２から基地局１０４（図１）に提供することができる。メッセージ２００は、ＭＭＰメッセージのタイプを示すメッセージ・タイプ・フィールド２０２（例えばＬ３）を含んでいる。フィールド２０２は、例えば長さ１バイトである。メッセージ２００はまた、メッセージ２００がリンクの登録、またはリンクの登録解除に関連付けられて提供されていることを示すフィールド２０４をも含む。例えば、フィールドは、１ビットのサイズになりえる。ここでは、第１の値（例えば、１）が、メッセージ２００がリンク登録解除要求であることを示し、第２の値（例えば、０）が、メッセージ２００がリンク登録要求であることを示す。
【００２７】
メッセージ２００は更に、フィールド２０４について更に説明するフィールド２０６を含むことができる。更に詳しくは、メッセージ２００がリンク登録要求であることをフィールド２０４が示す場合、フィールド２０６は、その登録が初期登録かどうかを示すことができる。繰り返すが、フィールド２０６は、例えば、１ビットの長さでありえる。そして、第１の値は、メッセージ２００が、初期登録に関することを示し、第２の値は、メッセージが初期登録ではないことを示す。メッセージ２００が登録解除要求であるようにフィールド２０４が設定される場合、フィールド２０６は無視されうる。メッセージ２００は更に、リンク登録要求をリンク登録応答に一致させることに関連して適用されうるフィールド２０８を含むことができる。例えば、フィールド２０８は、モバイル端末の電源が投入されると、０へイニシエートされ、無線端末によって生成された各登録要求毎にインクリメントされうる。一例では、フィールド２０８がロールオーバに関連付けられているのであれば、フィールド２０８は、ゼロではない値にロールオーバされる。フィールド２０８は、例えば、２バイトのサイズである。
【００２８】
メッセージ２００は更に、メッセージ２００にタイムスタンプを関連付けることができるフィールド２１０を含む。そのようなフィールド２１０は、任意の適切な時間ソース（例えばＮＴＰ）に基づく時間値を含むことができる。一例では、フィールド２１０は、４バイトのサイズである。メッセージ２００はまた、ＭＭＰ拡張のためのフィールド２１２を含むことができる。そのような拡張の例を、以下に更に詳細に説明する。そのようなフィールド２１２のサイズは、拡張のサイズに応じて変わりうる。そのようなメッセージ２００が、例えばＦＬＡＳＨ  ＯＦＤＭのようなパケット交換ネットワークによって提供される場合、メッセージ２００は、ＬＬＣフレームのヘッダとして利用される例えば１バイトのサイズを持つフィールド（図示せず）を含むことができる。一例として、基地局においてメッセージ２００を受信すると、基地局からホーム・エージェントへのＭＩＰ登録要求メッセージをトリガすることができる。
【００２９】
図３に移って示すように、リンク登録要求に応答して提供されるメッセージ３００が例示される。メッセージ３００は、ＭＭＰに準拠しており、基地局によって生成され、無線端末へ配信される。メッセージ３００は、メッセージ・タイプ・フィールド３０２を含むことができる。これは、メッセージ３００が、リンク登録応答メッセージであることを識別することができる。フィールド３０２は、長さ１バイトである。メッセージ３００は更にシーケンス番号フィールド３０４を含むことができる。このフィールド３０４の内容は、メッセージ２００（図２）内のフィールド２０４の内容をミラーすることができる。更に詳しくは、フィールド２０４の内容がコピーされ、フィールド３０４に配置される。これによって、無線端末は、メッセージ３００が、以前に配信されたメッセージと一致していると判定できるようになる。
【００３０】
メッセージ３００はまた、幾つかの応答コードのうちの１つを含むフィールド３０６をも含む。そのようなコードの例は、登録要求が受諾されたこと、以前に割り当てられたＩＰアドレスが無効であること、未知の誤りが生じたこと、より単純な登録形式が試みられるべきであること、現在不十分なリソースが存在すること（および、登録が後に試みられるべきであること）、無線端末が、キーを生成し、その後、登録を再試行すべきであること、登録がタイム・アウトになったこと、タイムスタンプ誤りが生じていること等を示すコードを含む。フィールド３０６は、例えば、１バイトの長さであり、様々なコードが、メッセージ３００内に配置されることを可能とする。
【００３１】
メッセージ３００内にフィールド３０８を含むこともできる。フィールド３０８は、要求されたリンク登録が時間切れになる前の時間の長さを（例えば、秒単位で）示すデータを含むことができる。一例では、フィールド３０８は、２バイトのサイズである。メッセージ３００には、オプションとして、メッセージ２００（図２）内で示される不正確な時間を訂正するためのタイムスタンプ・フィールド３１０が含まれうる。そのようなフィールド３１０は、図２に例示するようなタイムスタンプ・フィールド２１０と実質的に同じサイズでありうる。メッセージ３００はまた、ＭＭＰ拡張を含むフィールド３１２を含むことができる。これらは、本明細書において更に詳細に記載される。一例として、基地局は、ホーム・エージェントから、ＭＩＰフォーマットされたメッセージを受信すると、メッセージ３００を生成する。
【００３２】
図４に示すように、ＭＭＰ拡張を送信することに関連して使用されうる一例であるメッセージ・フォーマット４００が示される。このフォーマット４００は、タイプ長さ値の拡張をサポートすることができる。タイプ・フィールド４０２は、ＩＰアドレス、ルータ情報、無線端末が登録を実行したことに関する最後のインタフェース、および／または認証情報を含むメッセージを示すことができる拡張のタイプを記述する。例えば、フィールド４０２は１バイトの長さである。長さフィールド４０４は、メッセージの長さを（例えば、バイト単位で）記述し、例えば１バイトの長さでありえる。メッセージ・フォーマット４００はまた、ＩＰアドレス、（以下に定義されるような）ルータ情報メッセージで定義された値、および／または、（以下に定義されるような）完全性メッセージで定義された値を含む値フィールド４０６をも含む。値フィールド４０６は、メッセージの内容に依存して長さが変動しうる。
【００３３】
図５に示すように、ＭＭＰプロトコルに関連して適用されるルータ情報メッセージ５００が例示される。メッセージ５００は、タイプ・フィールド５０２を含むことができる。これは、例えば、ルーティングに関連するメッセージ、および／または、無線端末が登録を実行したことに関する最後のインタフェースのような拡張タイプの表示を含むことができる。フィールド５０２は、例えば、１バイトの長さである。メッセージ５００は更に、長さフィールド５０４を含む。これは、１バイトのサイズであり、メッセージ５００の長さを示すことができる。ルータ情報フィールド５０６は、設定メッセージ内の最後のすなわちターゲットである基地局からの関連するフィールド内で見つけられる値のコピーでありうる。フィールド５０６は、例えば、可変長でありえる。
【００３４】
図６に示すように、完全性メッセージ６００の一例が例示される。このメッセージはＭＭＰに準拠することができる。メッセージ６００は、タイプ・フィールド６０２を含む。これは、メッセージ６００が、特定のタイプ（例えば、図４に関して上述したタイプ）であることを示す。メッセージ６００はまた、メッセージ６００のサイズを記述する長さフィールド６０４を含むことができる。長さフィールド６０４は、１バイトのサイズでありうる。メッセージ６００は更に、ＳＰＩフィールド６０６を含むことができる。これは、完全性の確認に関連して適用される特定のアルゴリズムを示す。ＩＣＶフィールド６０８は、メッセージ全体の完全性チェック値を含み、任意の適切な方法で計算する。完全性チェック値は、例えば８バイトのような特定のサイズ内に収まるように切り詰めることができる。
【００３５】
図７に示すように、ＭＭＰエンベロープ・メッセージ７００の一例が表示される。これは、製造者固有のＭＭＰオブジェクトでありうる。メッセージ７００は、メッセージ７００が製造者固有のＭＭＰオブジェクトを示す（長さ１バイトでありうる）タイプ・フィールド７０２を含むことができる。長さフィールド７０４は、メッセージ７００の長さを記述することができる。製造者ＩＤフィールド７０６は、特定の製造者を識別するデータを含むことができる。値フィールド７０８は、メッセージ７００のボディを含むことができ、可変長でありうる。本明細書で記述されたメッセージおよびメッセージ・フォーマットは、ＭＭＰ（ＭＩＰに基づくが、ＭＩＰと比較した場合、ＯＴＡによって送信される量のデータを必要としないプロトコル）に準拠する可能なメッセージ／フォーマットを例示するように提供される。
【００３６】
図８、９、および１１に示すように、無線端末および／またはホストを設定することに関する方法が例示される。説明の単純化の目的のために、方法が示され、動作のシリーズとして記述される一方、幾つかの動作は、１または複数の実施形態に従って、異なる順で引き起こったり、本明細書で示され記述されたものとは異なる動作と同時に引き起こるので、この方法は、この動作順によって制限されないことが理解され認識される。例えば、当業者であれば、この方法は、例えば状態図のように、相互に関連した状態やイベントのシリーズとしても表されうることを理解および認識するだろう。更に、特許請求された主題に従って、例示した全ての動作が、方法を実現するために利用される訳ではない。
【００３７】
特に図８に示すように、ホストを設定することを容易にする方法８００が例示される。方法８００は、８０２において始まり、８０４において、登録要求が、ＭＭＰによって受信される。例えば、この登録要求は、図２に関して上述したメッセージ２００に類似しうる。更に、この登録要求は、無線端末から、この端末とのＯＴＡリンクを経由して受信される。８０６において、ＩＰアドレスがホストに割り当てられたとの表示が、ＭＭＰによって提供される（例えば、応答メッセージ３００（図３）のフィールド３０６内で示される）。応答メッセージ内のそのような表示は、例えば、無線端末へ提供されうる。別の例において、無線端末がＤＨＣＰサーバとして動作するように設定されている場合、８０６において、ＩＰアドレスが受信される。８０８において、無線端末に関連付けられたホストが、ＤＨＣＰを用いることによって設定される。例に従うと、基地局は、ＤＨＣＰサーバとして動作することができ、設定情報に対する要求がホストからあると、そのような設定情報をホストに提供することができる。更に詳しくは、ホストは、ＤＨＣＰブロードキャスト・メッセージを生成し、基地局は、自分がホストのためのＤＨＣＰサーバとして動作するべきであることを示すことによってそのようなメッセージに応答することができる。ホストは、その後、基地局からのＩＰ設定情報を要求することができる。基地局は、そのような設定情報を、ＤＨＣＰによってホストに提供することができる。ホスト（および無線端末）は、パケット交換網を経由したデータの送信および受信を達成するために、ＩＰアドレスを用いることができる。この方法８００は、８１０で終了する。
【００３８】
図９に示すように、ホストを設定することに関して利用される方法９００が例示される。方法９００は、９０２において始まり、９０４において、基地局との無線リンクが確立されたとの表示が受信される。この表示は、例えば、無線端末において受信される。そのような表示は、無線端末が、無線リンクを維持することを可能にする情報も、その他任意の適切なリンク設定情報を含むことができる。９０６では、登録要求が、ＭＭＰによって基地局へ提供される。この登録要求は、登録要求メッセージ２００（図２）に関連して記述されたフォーマットと類似したフォーマットからなりうる。そのようなメッセージは、例えば、無線端末によって提供されうる。別の例では、ホスト・デバイスは、登録要求メッセージを生成し、それを（無線端末を経由して）基地局へ提供することができる。９０８では、ＭＭＰによって登録応答が受信される。この登録応答は、図３のメッセージ３００に関して記述されたものと本質的に類似した方式でフォーマットされうる。この登録応答は、基地局において生成され、無線端末および／またはホストにおいて受信される。方法９００は、その後９１０において終了する。
【００３９】
図１０に示すように、設定図１０００が例示される。設定図１０００は、ホスト１００２、無線端末１００４、基地局１００６、およびホーム・エージェント１００８に関連する。ホスト１００２は、コンピュータまたはポータブル・デバイスでありうり、ＩＰスタックを含むことができる。無線端末１００４は、ネットワークとの通信および物理レイヤ接続（例えば、基地局１００６との無線通信の確立）を取り扱うために利用することができる。基地局１００６は、ネットワーク・サービスへのアクセス・ポイントとして動作し、ホーム・エージェント１００８は、移動管理に関して利用される。
【００４０】
先ず、無線端末１００４および基地局１００６は、１０１０において、エア・インタフェース・アクセスを始めることができる。そのような動作１０１０は、無線端末１００４と基地局１００６との間の物理レイヤ接続を確立することに関連する。無線端末１００４と基地局１００６との間でネットワーク・アクセス１０１２処理が行われる。ネットワーク・アクセス処理１０１２は、認証、許可、および／または、課金に関連する。１０１４では、基地局１００６から無線端末１００４へ接続応答メッセージが提供される。そのようなメッセージは、無線端末１００４を設定することに関して適用することができる。例えば、接続応答メッセージは、ネットワーク・レイヤにおいて、基地局１００６を識別する情報（例えば、ネットワーク・レイヤにおけるユニークな識別子）を含むことができる。例として、この情報は、基地局１００６に関連付けられたＩＰアドレスであるか、そのＩＰアドレスを含むことができる。
【００４１】
その後、無線端末１００４は、１０１６において、基地局１００６へ登録要求メッセージを提供することができる。この登録要求メッセージは、ＭＭＰに準拠している。１０１６における動作は、（もしも複数のリンクがイネーブルされるのであれば、）無線端末１００４と基地局１００６との間の初期リンクとしてリンクを確立する。この設定図１０００の例では、ＭＭＰは、無線端末１００４および基地局１００６において実行することができる。しかしながら、ホスト１００２および／またはホーム・エージェント１００８が、ＭＭＰを実行するように設定されることも可能であることが理解される。一例では、登録要求メッセージは、図２に関して記述されたものと本質的に類似した方式のフォーマットからなりうる。基地局１００６は、この登録要求メッセージを受信し、かつ、無線端末１００４（またはそれらに関連する加入者）に関連付けられたプロファイルを分析するように構成される。このプロファイルは、例えば、ネットワーク・アクセス１０１２中に受信されうる。このプロファイルの内容は、無線端末１０１４が静的または動的にアドレスされたかを示すことができる。１０１８において、基地局１００６は、ＭＩＰ登録要求メッセージを生成し、それをホーム・エージェント１００８へ中継することができる。複数のホーム・エージェントがネットワーク内に存在すれば、基地局１００６は、上述したプロファイルを分析することによって、適切なホーム・エージェントを識別することができる。更に、初期登録の場合、１０１８において、（例えば、フラグを設定するか、あるいは、この要求内に特定の値を含めることによって、）無線端末１００４に割り当てられたＩＰアドレスが存在しないとの表示が与えられる。
【００４２】
１０１８において生成されたＭＩＰメッセージは、１０１６において基地局で受信されたＭＭＰメッセージに応答して生成されうる。生成されたＭＩＰメッセージは、例えば、Ｓフラグ（同時バインディング）、Ｂフラグ（ブロードキャスト・データグラム）、Ｄフラグ（モバイル・ノードによるカプセル化解除）、Ｍフラグ（最小カプセル化）、Ｇフラグ（ＧＲＥカプセル化）およびＴフラグ（逆トンネリング）のような様々なフラグを含むことができる。そのようなフラグは、システム設計および実装にしたがって、ある値に設定されうる。例えば、Ｔフラグ以外のフラグはそれぞれ、１に設定することができる。更に、ＭＩＰメッセージは、基地局によって特定のパラメータに設定されうるライフタイム・フィールドを含むことができる。例えば、ＭＩＰメッセージのライフタイム・フィールド内の値は、受信したＭＭＰメッセージのフィールド（例えば、図２に示すようなフィールド２０４）内の値に依存しうる。例えば、１０１６において、登録解除要求を示すＭＭＰメッセージが受信されたのであれば、１０１８において、ＭＩＰメッセージ内のライフタイム・フィールドは、登録解除を実行するように設定されうる。ＭＩＰメッセージはまた、ホーム・アドレス・フィールド、ホーム・エージェント・アドレス・フィールド、気付アドレス・フィールド、識別フィールド、および拡張情報を含むことができる。例に従って、識別フィールドは、ＭＩＰ登録要求メッセージをＭＩＰ登録応答メッセージとマッチングさせることに関連して使用される。更に、登録メッセージの再生攻撃に対する防護のために使用される。
【００４３】
１０１８では、基地局１００６によって提供されるＭＩＰ登録要求メッセージ内の識別フィールドが、タイムスタンプ・フィールドを含むことができる。そのようなフィールドの内容は、１０１６において基地局１００６によって受信されたＭＭＰ登録要求メッセージ内の対応するタイムスタンプ・フィールド（例えば、４バイトのサイズ）からコピーされうる。更に詳しくは、ＭＭＰ登録要求メッセージは、例えば図２に例示するフィールド２１２のようなタイムスタンプ・フィールドを含むことができる。そのようなフィールドの内容は、１０１８において、基地局１０１６によって生成されたＭＩＰメッセージ内のライフタイム・フィールドにコピーされうる。また、ＭＩＰ識別フィールドは、ＭＭＰ登録要求メッセージ内の対応するシーケンス番号フィールド（例えば、図２で示されるフィールド２１０）からコピーされうる。ＭＩＰ識別フィールドは更に、基地局１０１６に随意にインクリメントされうる基地局シーケンス番号を含むことができる。
【００４４】
１０２０では、ホーム・エージェント１００８は、例えば、ＭＩＰによる適切な応答（ＭＩＰ登録応答メッセージ）によって基地局１００６に応答することができる。そのような応答は、ホスト１００２に望ましく割り当てられるＩＰアドレス、ホーム・エージェント１００８のアドレス、および／または、期限切れまで登録が有効である時間の量を含むことができる。ＭＩＰ登録応答メッセージを受信すると、基地局１００６は、ＭＭＰ登録応答メッセージを生成し、そのメッセージを、無線端末１００４へ提供することができる。無線端末１００４へ送られた登録応答メッセージは、図３に記述された登録応答メッセージ３００に本質的に類似しうる。そのようなメッセージは、時間の量に相当するライフタイム・フィールドを、ＭＩＰ登録応答メッセージ内に含めることができる。例えば、ライフタイム・フィールドは、ＭＩＰ登録応答メッセージ内に示された時間以下の時間を含めることができる。更に、ＭＩＰ登録応答メッセージ内に誤りがあると示されている場合、ＭＭＰ登録応答メッセージは、タイムスタンプを含めることができる。
【００４５】
ＭＭＰ登録応答メッセージを受信すると、無線端末１００４は、初期リンクとして、基地局１００６とのリンクを確立することができる。無線端末１００４が初期リンクを確立するのは今回が初めてであるので、無線端末１００４は、１０２４において、このネットワークが利用可能であることを、無線端末インタフェースを介してホスト１００２に示すことができる。そのようなトリガは、ホスト１００２における自動設定処理を開始することができる。この設定は、無線端末１００４が、このネットワークがダウンしていることを、無線端末インタフェースを介して示すまで有効である。一般に、ホスト１００２は、初期リンクが確立されたことを一度だけ通知される必要がある。並行して、基地局１００６は、無線端末１００４とのリンクが、無線端末１００４に関する初期リンクであると気付くことができる。
【００４６】
１０２６では、ホスト１００２が、ＤＨＣＰディスカバー・メッセージを生成することができる。これは、無線端末１００４および／または基地局１００６へ配信されうる。ＤＨＣＰディスカバー・メッセージが基地局１００６によって受信されると、１０２８において、基地局１００６は、適切なＤＨＣＰオファー・メッセージをもってホスト１００２に応答することができる。そのようなメッセージは、（ＤＨＣＰディスカバー・メッセージ内のパラメータに依存して）様々なパラメータを含むことができる。例えば、ＤＨＣＰオファー・メッセージは、ＩＰアドレス、リース期間、割り当てられたＩＰアドレスのためのゲートウェイ・アドレス、割り当てられたＩＰアドレスのためのネットワーク・マスト等を含むことができる。１０３０では、ホスト１００２が、ＤＨＣＰ要求メッセージをもって応答し、１０３２では、基地局１００６が、アクノレッジメント・メッセージをもって応答することができる。言い換えれば、基地局１００６は、ＤＨＣＰサーバとして設定されうる。従って、ホスト１００２は、接続され設定されたネットワーク・レイヤである。
【００４７】
別の例では、無線端末１００４は、ＤＨＣＰサーバとして設定されうる。例えば、ＤＨＣＰディスカバー・メッセージは、無線端末１００４によって受信される。無線端末１００４は、ホスト１００２に関連付けられた設定情報を知っている。その後、無線端末１００４は、ＤＨＣＰオファー・メッセージを生成し、ホスト１００２に提供し、ホスト１００２の応答を（例えば、ＤＨＣＰ要求メッセージの形式で）受信する。無線端末１００４は、その後、ＤＨＣＰアクノレッジメントをホスト１００２に提供することができる。更に、ホスト１００２は、ＭＭＰを実行するように設定されうる。これによって、（無線端末１００４ではなく）ホスト１００２が、ＭＭＰメッセージを生成し、受信することができる。ホスト１００２がそのような方式で設定されると、ホスト１００２がＭＭＰによって直接的に設定されるので、無線端末１００４または基地局１００６をＤＨＣＰサーバとして設定する必要はないだろう。
【００４８】
図１１に示すように、無線端末および基地局を、ホスト・デバイスへのＩＰアドレスの割当を設定する方法１１００が例示される。方法１１００は１１０２で始まり、１１０４において、無線端末は、ＭＭＰに従ってメッセージを送／受信するように設定される。例えば、無線端末に関連付けられたメモリは、ＭＭＰに準拠しているメッセージを送／受信する命令群で占められ、プロセッサは、そのような命令群を実行するために、無線端末に関連付けられうる。１１０６では、基地局は、ＭＭＰおよびＭＩＰに従ってメッセージを送／受信するように設定されうる。例えば、この設定は、ＭＭＰに準拠しているメッセージを送／受信し、ＭＩＰに準拠しているメッセージを送／受信する命令群でメモリを占めることを含み、プロセッサは、そのような命令群を実行するために使用されうる。更に、メモリは、ＭＩＰメッセージおよび／またはＭＭＰメッセージそれぞれにおける内容に基づく内容を用いてＭＭＰメッセージおよび／またはＭＩＰメッセージを生成する命令群を含むことができる。１１０８では、基地局は、ＤＨＣＰサーバとして動作するように設定されうる。例えば、基地局に関連付けられたメモリは、ＤＨＣＰに準拠しているメッセージを基地局が送受信できるようにするデータおよび／または命令群を含むことができる。そして、この方法１１００は、１１１０で終了する。
【００４９】
図１２に移って、無線通信装置１２００が例示される。無線通信装置は、例えば、ホスト、無線端末、基地局、および／または、ホーム・エージェントになりえる。装置１２００は、例えば、ＭＭＰに準拠しているメッセージを送受信することに関する命令群を含むメモリ１２０２を含むことができる。更に、メモリ１２０２は、無線通信装置１２００がＤＨＣＰサーバとして動作することを可能にする命令群を含むことができる。更に、メモリ１２０２は、ＭＩＰに準拠しているデータの送受信、ＭＩＰメッセージのレビューおよびそこからのコンテンツの引き出し、そのコンテンツのＭＭＰメッセージへの配置等を行うための命令群を含むことができる。装置１２００は更に、メモリ１２０２内に保持された命令群を実行できるプロセッサ１２０４を含むことができる。
【００５０】
図１３および図１４にまとめて示すように、ホストを設定することに関するシステムが提供される。このシステムは、相互に関係のある機能ブロックのシリーズとして表される。これは、プロセッサ、ソフトウェア、ハードウェア、ファームウェア、またはこれらの任意の適切な組み合わせによって実現される。特に、図１３に示すように、ＭＭＰを用いてホストの設定を容易にするシステム１３００が例示される。システム１３００は、ＭＭＰによって登録要求を受信する論理モジュール１３０２を含む。そのようなモジュール１３０２は、アンテナ、ポート、ケーブル、メモリ、あるいはその他の適切なハードウェア、ソフトウェア、ファームウェア、および／またはこれらの組み合わせを含みうる。システム１３００は更に、無線リンクを経由して（例えば、ＭＭＰによって）無線端末へＩＰ設定情報を提供する論理モジュール１３０４を含むことができる。繰り返すが、そのようなモジュール１３０４は、アンテナ、ポート、ケーブル、メモリ、プロセッサ等を含むことができる。システム１３００はまた、ＤＨＣＰを用いてホストを設定する論理モジュール１３０６をも含みうる。そのようなモジュール１３０６は、送信機チェーンと、ＤＨＣＰメッセージを送／受信するための命令群を保持するメモリ等とを含むことができる。一例として、システム１３００は、基地局内に保持されうる。
【００５１】
図１４に示すように、ホスト装置を設定することを容易にするシステム１４００が例示される。システム１４００は、ＭＭＰに準拠している登録要求を生成する論理モジュール１４０２を含む。このモジュール１４０２は、プロセッサ、メモリ、ソフトウェア、ハードウェア、ファームウェア等を含みうる。システム１４００はまた、登録要求を、無線リンクを介して基地局へ送信する論理モジュール１４０４をも含む。そのようなモジュール１４０４は、送信機チェーン、アンテナ、プロセッサ等を備えることができる。更に、システム１４００は、ＭＭＰに準拠している登録要求を受信する手段１４０６を含む。このモジュール１４０６は、アンテナ、メモリ、プロセッサ、ポート、および／または、その他任意の適切なハードウェアおよび／またはソフトウェアを含むことができる。例えば、無線端末は、システム１４００を含むことができる。
【００５２】
本明細書に記載された１または複数の実施形態に追加の文脈を与えるために、図１５が与えられる。図１５は、通信リンクによって相互接続された複数のノードを備える通信システム１５００の例を示す。このシステム１５００は、無線リンクを介して情報を通信するために直交周波数分割多重（ＯＦＤＭ）信号を使用しうる。しかしながら、例えば符号分割多元接続（ＣＤＭＡ）信号または時分割多元接続（ＴＤＭＡ）信号のようなその他のタイプの信号もまた（地上ベースのネットワークで利用される信号とともに）考慮される。通信システム１５００内のノードは、例えばインターネット・プロトコル（ＩＰ）のような通信プロトコルに基づいて、例えばメッセージのような信号を用いて情報を交換する。システム１５００の通信リンクは、例えば、ワイヤ、光ファイバ・ケーブル、および／または無線通信技術を用いて実現されうる。システム１５００は、複数のエンド・ノード１５０２−１５１２を含む。これらは、複数のアクセス・ノード１５１４−１５１８を経由して通信システム１５００にアクセスする。エンド・ノード１５０２−１５１２は、例えば無線通信デバイスまたは端末であり、アクセス・ノード１５１４−１５１８は、例えば無線アクセス・ルータまたは基地局でありうる。通信システム１５００はまた、相互接続の提供、または、具体的なサービスまたは機能の提供のために使用されるその他多くのノード１５２０−１５３０をも含む。
【００５３】
通信システム１５００は、アクセス制御ノード１５２０、移動サポート・ノード１５２２、ポリシー制御ノード１５２４、およびアプリケーション・サーバ・ノード１５２６を含むネットワーク１５６０を示す。これら全てはそれぞれ、対応するネットワーク・リンク１５３２−１５３８によって中間ネットワーク・ノード１５２８に接続されている。幾つかの実施形態では、例えばRemote Authentication Dial In User Service (RADIUS)またはDiameter serverのようなアクセス制御ノードは、エンド・ノード、および／または、エンド・ノードに関連付けられたサービスの認証、許可、および／または課金をサポートする。幾つかの実施形態では、例えば、モバイルＩＰホーム・エージェントおよび／またはコンテクスト転送サーバのような移動サポート・ノード１５２２は、例えば、エンド・ノードとのトラフィックのリダイレクション、および／または、エンド・ノードに関連付けられた状態のアクセス・ノード間での転送によって、エンド・ノードのアクセス・ノード間の移動、例えばハンドオフをサポートする。幾つかの実施形態では、例えばポリシー・サーバまたはポリシー・デシジョン・ポイント（ＰＤＰ）のようなポリシー制御ノード１５２４が、アプリケーション・レイヤ・セッションまたはサービスのためのポリシー許可をサポートする。幾つかの実施形態では、例えば、セッション開始プロトコル・サーバ、ストリーミング・メディア・サーバ、またはその他のアプリケーション・レイヤ・サーバのようなアプリケーション・サーバ・ノード１５２６は、エンド・ノードに利用可能なサービスに対するセッション・シグナリングをサポートし、エンド・ノードに利用可能なサービスまたはコンテンツを提供する。
【００５４】
ネットワーク１５６０における中間ネットワーク・ノード１５２８は、ネットワーク・リンク１５３４を経由して、ネットワーク１５６０から外部にあるネットワーク・ノードに対する相互接続を提供する。ネットワーク・リンク１５３４は、ネットワーク・リンク１５３６−１５４０それぞれを経由して、アクセス・ノード１５１４、１５１６、１５１８への更なる接続を提供する中間ネットワーク・ノード１５３０に接続されている。アクセス・ノード１５１４−１５１８はそれぞれ、対応するアクセス・リンク１５４２−１５５２をそれぞれ経由して、エンド・ノード１５０２−１５１２のそれぞれに接続を提供するものとして示される。通信システム１５００では、アクセス・ノード１５１４−１５１８はそれぞれ、アクセスを提供するために、例えば無線アクセス・リンクのような無線技術を用いているものとして示される。しかしながら、アクセスを提供することに関連して、有線技術も利用されうる。例えば、各アクセス・ノード１５１４−１５１８の通信セル１５５４−１５５８のような無線有効範囲領域は、対応するアクセス・ノードの周囲の円として示される。
【００５５】
通信システム１５００は、本明細書に記載された様々な実施形態の記述の基礎として使用されうる。代替実施形態は、様々なネットワーク技術を含み、ノードの数およびタイプ（ネットワーク・ノード、アクセス・ノード、エンド・ノードのみならず、様々な制御ノード、サポート・ノード・およびサーバ・ノードを含む）、リンクの数およびタイプ、および様々なノード間の相互接続性が、通信システム１５００のものと異なりうる。更に、通信システム１５００に示される機能エンティティのうちの幾つかは、省略または結合されうる。これら機能エンティティの位置または配置は、変動しうる。
【００５６】
図１６は、様々な局面に関連付けられた典型的なエンド・ノード１６００（例えば、モバイル・ノード）を例示する。エンド・ノード１６００は、無線端末、ホスト・デバイス、および／または、ホスト・デバイスに統合された無線端末と見なすことができる。例えば、本明細書に記載のメモリ、プロセッサ、およびモジュールは、ホスト・デバイスと無線端末との間に分散され、ホスト・デバイスおよび無線端末等によって共有される。エンド・ノード１６００は、図１５に示されるエンド・ノード１５０２−１５１２のうちの任意の１つとして使用される装置でありうる。図示するように、エンド・ノード１６００は、バス１６１０によってともに接続されたプロセッサ１６０２、無線通信インタフェース１６０４、ユーザ入力／出力インタフェース１６０６、およびメモリ１６０８を含む。従って、エンド・ノード１６００の様々な構成要素は、バス１６１０を経由して情報、信号、およびデータを交換することができる。エンド・ノード１６００の構成要素１６０２−１６１０は、筐体１６１２内に位置する。
【００５７】
無線通信インタフェース１６０４は、エンド・ノード１６００の内部構成要素が、外部デバイスおよびネットワーク・ノード（例えば、アクセス・ノード）と信号を送受信することができるメカニズムを提供する。無線通信インタフェース１６０４は、エンド・ノード１６００を、（例えば、無線通信チャネルによって）他のネットワーク・ノードに接続するために使用される例えば、対応する受信アンテナ１６１６を備えた受信機モジュール１６１４と、対応する送信アンテナ１６２０を備えた送信機モジュール１６１８とを含む。
【００５８】
エンド・ノード１６００は更に、ユーザ入力／出力インタフェース１６０６によってバス１６１０に接続されたユーザ入力デバイス１６２２（例えば、キーパッド）と、ユーザ出力デバイス１６２４（例えば、ディスプレイ）とを含む。従って、ユーザ入力デバイス１６２２およびユーザ出力デバイス１６２４は、ユーザ入力／出力インタフェース１６０６およびバス１６１０によって、情報、信号、およびデータを、エンド・ノード１６００の他の構成要素と交換することができる。ユーザ入力／出力インタフェース１６０６および関連するデバイス（例えば、ユーザ入力デバイス１６２２、ユーザ出力デバイス１６２４）は、様々なタスクを達成するためにユーザがエンド・ノード１６００を操作することができるメカニズムを提供する。特に、ユーザ入力デバイス１６２２およびユーザ出力デバイス１６２４は、ユーザがエンド・ノード１６００およびエンド・ノード１６００のメモリ１６０８において動作するアプリケーション（例えば、モジュール、プログラム、ルーチン、関数等）を制御することを可能にする機能を提供する。
【００５９】
プロセッサ１６０２は、メモリ１６０８に含まれる様々なモジュール（例えば、ルーチン）の制御下にあり、本明細書に記載の様々なシグナリングおよび処理を実行するために、エンド・ノード１６００の動作を制御することができる。メモリ１６０８に含まれるモジュールは、起動時に、あるいは他のモジュールから呼び出されることによって実行されうる。実行されると、モジュールは、データ、情報、および信号を交換することができる。実行されると、モジュールは更に、データおよび情報を共有することができる。エンド・ノード１６００のメモリ１６０８は、シグナリング／制御モジュール１６２６およびシグナリング／制御データ１６２８を含むことができる。
【００６０】
シグナリング／制御モジュール１６２６は、状態情報の格納、検索、および処理を管理するための信号（例えば、メッセージ）の受信および送信に関する処理を制御する。シグナリング／制御データ１６２８は、例えば、パラメータ、ステータス、および／または、エンド・ノードの動作に関連するその他の情報のような状態情報を含んでいる。特に、シグナリング／制御データ１６２８は、設定情報１６３０（例えば、エンド・ノード識別情報）、および動作情報１６３２（例えば、現在の処理状態、未解決の応答のステータス等に関する情報）を含みうる。シグナリング／制御モジュール１６２６は、シグナリング／制御データ１６２８にアクセスしたり、および／またはこれらを修正（例えば、設定情報１６３９および／または動作情報１６３２を更新）することができる。
【００６１】
また、メモリ１６０８は、ＤＨＣＰモジュール１６３４および／またはＭＭＰモジュール１６３６を含むことができる。例えば、エンド・ノード１６００が、無線端末、ホスト・デバイス、および／または、ホスト・デバイスと統合された無線端末である場合、ＤＨＣＰモジュール１６３４が利用され、ＤＨＣＰに準拠しているメッセージが送受信されるようになる。例えば、ＤＨＣＰモジュールは、ホスト・デバイスが、ＤＨＣＰ（例えば、ＤＨＣＰアクノレッジメント）によって、無線端末および／または基地局から設定情報を受信できるようにすることができる。更に、ＤＨＣＰモジュール１６３４は、ホスト・デバイスが、例えばＤＨＣＰディスカバー・メッセージのようなＤＨＣＰメッセージを生成し、送信することを可能にすることができる。更にまた、エンド・ノード１６００が、無線端末である場合（あるいは、無線端末を含んでいる場合）、ＤＨＣＰモジュール１６３４は、ホスト・デバイスを用いてＤＨＣＰメッセージを送信／受信するように設定されうる。エンド・ノード１６００が無線端末であるか、あるいは無線端末を含むのであれば、ＭＭＰモジュール１６３６は、無線端末が、ＭＭＰに準拠しているメッセージを生成、受信、および分析できるようにする。
【００６２】
図１７は、本明細書で記述された様々な局面に従って実施されるアクセス・ノード１７００の実例を提供する。アクセス・ノード１７００は、図１５に示すアクセス・ノード１５１４−１５１８のうちの任意の１つとして利用される装置でありうる。アクセス・ノード１７００は、バス１７１０によって共に接続されたプロセッサ１７０２、メモリ１７０４、ネットワーク／ネットワーク間インタフェース１７０６、および無線通信インタフェース１７０８を含んでいる。従って、アクセス・ノード１７００の様々な構成要素は、バス１７１０を経由して情報、信号、およびデータを交換することができる。アクセス・ノード１７００の構成要素１７０２−１７１０は、筐体１７１２内に配置されうる。
【００６３】
ネットワーク／ネットワーク間インタフェース１７０６は、アクセス・ノード１７００の内部構成要素が外部デバイスおよびネットワーク・ノードとの間で信号を送受信することができるメカニズムを提供する。ネットワーク／ネットワーク間インタフェース１７０６は、（例えば、銅線または光ファイバ線を介して）アクセス・ノード１７００を他のネットワーク・ノードに接続するために使用される受信機モジュール１７１４および送信機モジュール１７１６を含む。また、無線通信インタフェース１７０８は、アクセス・ノード１７００の内部構成要素が、外部デバイスおよびネットワーク・ノード（例えば、エンド・ノード）との間で信号を送受信することができるメカニズムを提供する。無線通信インタフェース１７０８は、例えば、対応する受信アンテナ１７２０を備える受信機モジュール１７１８と、対応する送信アンテナ１７２４を備える送信機モジュール１７２２とを含む。無線通信インタフェース１７０８は、アクセス・ノード１７００を（例えば、無線通信チャネルによって）他のネットワーク・ノードへ接続するために使用されうる。
【００６４】
メモリ１７０４に含まれる様々なモジュール（例えば、ルーチン）の制御下にあるプロセッサ１７０２は、様々なシグナリングおよび処理を実行するために、アクセス・ノード１７００の動作を制御する。メモリ１７０４に含まれたモジュールは、起動時に、あるいは、メモリ１７０４に存在する他のモジュールによって呼び出されることによって実行されうる。実行されると、モジュールは、データ、情報、および信号を交換することができる。実行されると、モジュールは更に、データおよび情報を共有することができる。一例として、アクセス・ノード１７００のメモリ１７０４は、状態管理モジュール１７２６と、シグナリング／制御モジュール１７２８とを含む。メモリ１７０４はまた、これらモジュールの各々に対応する状態管理データ１７３０およびシグナリング／制御データ１７３２を含む。
【００６５】
状態管理モジュール１７２６は、エンド・ノード、または、状態の格納および検索に関する他のネットワーク・ノードから受信した信号の処理を制御する。例えば、状態管理データ１７３０は、例えば、状態または状態の一部、あるいは、その他幾つかのネットワーク・ノードに格納されている場合には現在のエンド・ノード状態の場所のようなエンド・ノード関連情報を含む。状態管理モジュール１７２６は、状態管理データ１７３０へのアクセス、および／または修正を行うことができる。
【００６６】
シグナリング／制御モジュール１７２８は、無線通信インタフェース１７０８を介したエンド・ノードとの信号の処理、および、例えば基本的な無線機能、ネットワーク管理等のようなその他の動作に必要なネットワーク／ネットワーク間インタフェース１７０６を介したその他のネットワーク・ノードとの信号の処理を実行する。シグナリング／制御データ１７３２は、例えば、基本動作に対する無線チャネル割当に関するエンド・ノード関連データ、および、例えば、サポート／管理サーバのアドレスや基本的なネットワーク通信のための設定情報のようなその他のネットワーク関連データを含む。シグナリング／制御モジュール１７２８は、シグナリング／制御データ１７３２へのアクセス、および／または、それらの修正を行うことができる。
【００６７】
また、アクセス・ノード１７１２のメモリ１７０４は、ＭＭＰに通信するメッセージを受信し解釈するための命令群を含むＭＭＰモジュール１７３４を含むことができる。更に、ＭＭＰモジュール１７３４は、アクセス・ノード１７１２が、別のフォーマット（例えば、ＭＩＰ）であるメッセージを解釈し、解釈したメッセージの内容に基づいてＭＭＰメッセージを生成することができるようにする。メモリ１７０４は更に、アクセス・ノード１７１２が、ホーム・エージェントとの間で、ＭＩＰに準拠しているメッセージを送受信することを可能にするＭＩＰモジュール１７３６を含むことができる。更に、ＭＩＰモジュール１７３６は、アクセス・ノード１７００が、異なるフォーマット（例えば、ＭＭＰ）のメッセージからのコンテンツでＭＩＰメッセージを占めることができるようにする。メモリ１７０４はまた、ＤＨＣＰモジュール１７３８を含むことができる。これによって、アクセス・ノード１７００は、ＤＨＣＰサーバとして動作可能となる。例えば、ＤＨＣＰモジュール１７３８は、ＤＨＣＰによってホスト・デバイスに設定情報を提供することに関連して用いられる。
【００６８】
上述したものは、１または複数の実施形態のうちの例を含む。もちろん、上述した実施形態を記述するためのモジュールまたは方法の考えられる全ての組み合わせを記述することは可能ではないが、当業者であれば、様々な実施形態の更なる組み合わせおよび置き換えが可能であることを理解することができる。従って、記述された実施形態は、特許請求の範囲の精神およびスコープ内にある全ての変形、修正、および変更を含むことが意図される。更に、用語「含む」が、詳細な説明または特許請求の範囲の何れかで用いられている限り、その用語は、特許請求の範囲で遷移語として用いられる場合に用語「備える」が解釈されているのと同様に、包括的であることが意図される。
【図面の簡単な説明】
【００６９】
【図１】図１は、ＭＭＰによるホストの設定を例示するために提供される高次レベル・ブロック図である。
【図２】図２は、ＭＭＰに準拠しているメッセージ・フォーマットの例である。
【図３】図３は、ＭＭＰに準拠しているメッセージ・フォーマットの例である。
【図４】図４は、ＭＭＰに準拠しているメッセージ・フォーマットの例である。
【図５】図５は、ＭＭＰに準拠しているメッセージ・フォーマットの例である。
【図６】図６は、ＭＭＰに準拠しているメッセージ・フォーマットの例である。
【図７】図７は、ＭＭＰに準拠しているメッセージ・フォーマットの例である。
【図８】図８は、ＤＨＣＰを利用することによってホスト・デバイスを設定する方法を例示する代表的なフロー図である。
【図９】図９は、ＭＭＰによって無線端末と基地局との間で登録情報を送信する方法を例示する代表的なフロー図である。
【図１０】図１０は、ホスト・デバイスの設定を例示するブロック図である。
【図１１】図１１は、ＤＨＣＰサーバとして動作するように基地局を設定する方法を例示する代表的なフロー図である。
【図１２】図１２は、無線通信装置の例である。
【図１３】図１３は、ホストを設定するシステムの高次レベル・ブロック図である。
【図１４】図１４は、ＭＭＰによって無線端末と基地局の間の通信を可能にするシステムのブロック図である。
【図１５】図１５は、通信システムの例を示す。
【図１６】図１６は、エンド・ノードの例を示す。
【図１７】図１７は、アクセス・ノードの例を示す。
【図１８】図１８は、アクセス・ノードと通信するエンド・ノードの例を示す。
【図１】
2009533972.tif 000003
【図２】
2009533972.tif 000004
【図３】
2009533972.tif 000005
【図４】
2009533972.tif 000006
【図５】
2009533972.tif 000007
【図６】
2009533972.tif 000008
【図７】
2009533972.tif 000009
【図８】
2009533972.tif 000010
【図９】
2009533972.tif 000011
【図１０】
2009533972.tif 000012
【図１１】
2009533972.tif 000013
【図１２】
2009533972.tif 000014
【図１３】
2009533972.tif 000015
【図１４】
2009533972.tif 000016
【図１５】
2009533972.tif 000017
【図１６】
2009533972.tif 000018
【図１７】
2009533972.tif 000019
【国際調査報告】
2009533972.tif 000020
2009533972.tif 000021
2009533972.tif 000022